(57)【要約】      （修正有）【課題】的中していない券類を排出部を介して顧客に返却する返却部を有する券処理ユニットにおいて、複数枚の券を処理する場合に、顧客が返却部に搬送された的中していない券を１枚ずつ逐次抜き取る必要を無くして、顧客が装置の前にいる時間を短縮する。【解決手段】排出部１２に、券類を返却部１３に搬送するアシストローラに券類の両側端が載るようにしエスケープローラを当接するように対向配置すると共に、このエスケープローラの中間に位置するようにソレノイド等の駆動装置によって駆動される叩き落しローラを配置して、的中してない券が搬送されると、このエスケープローラを支点を介して回動させる同時に叩き落しローラを駆動して、排出ステージ上に券類を集積可能とした。【選択図】図１
2010211641.tif 000002
【特許請求の範囲】
【請求項１】
券類挿入部から挿入された券類を券類判定部で的中しているか否かを判定し、的中したと判断した券類を収納するスタッカ部を有し、的中していないと判断した券類を排出部を介して顧客に返却する返却部を有する券処理ユニットにおいて、
前記排出部に、券類を返却部に搬送するアシストローラに当接するエスケープローラを投票券の幅にあった間隔をあけて対向配置して券類の両側端がエスケープローラ上にそれぞれ載るようにし、このエスケープローラは、支点を介して回転可能に設けたエスケープブラケットの一側に取り付けられ、このエスケープブラケットの他側にはエスケープスプリングを引張状態で設けてエスケープローラをアシストローラに押圧させ、このエスケープローラの中間に位置するようにソレノイド等の駆動装置によって駆動される叩き落しローラを配置して排出ステージ上に券類を集積可能としたことを特徴とする券処理ユニット。
【請求項２】
請求項１において、アシストローラに当接するエスケープローラを排出ステージ上に配置してアシストローラとエスケープローラで挟まれた券類を返却部から抜き取り可能にしたことを特徴とする券処理ユニット。
【請求項３】
請求項２において、排出ステージ上の券類とアシストローラとエスケープローラで挟まれた券類とを返却部から抜き取り可能にしたことを特徴とする券処理ユニット。
【発明の詳細な説明】
【技術分野】
【０００１】
本発明は、競馬、競輪、競艇、オートレース等の公営競技で使用される投票券等の券類発売機の券処理ユニットに関する。
【背景技術】
【０００２】
券処理ユニットは、的中投票券の払い戻しをする装置に実装されており、投票券の表面には投票レース番号、投票内容等の情報が印字されている。以下の説明は、競輪場で用いる投票券で説明する。
【０００３】
１０１は、券処理ユニット、１０２は、投票券１１４を複数枚同時に挿入することができる投票券挿入部であり、投票券１１４が券処理ユニット１内で処理されているときに次の投票券１１４が投票券挿入部１０２に挿入できないようにする挿入シャッター１０３が設けてある。
【０００４】
１０４は、挿入された１枚もしくは複数枚の投票券１１４を搬送し、一時的に保留する一時保留部、１０５は、この一時保留部１０４に複数枚搬送された投票券１１４を１枚ずつに分離する分離部、１０６は、１枚ずつ分離された投票券１１４が的中しているかを判定する投票券判定部である。
【０００５】
１０７は、投票券挿入部１０２から挿入された投票券１１４を搬送する搬送部、１０８は、的中した投票券１１４に的中したことが分かるように穴をあけるパンチ部、１０９は、的中した投票券１１４を収納するスタッカ部、１１０は、投票券判定部１０６で的中していないと判断した投票券１１４を返却する返却搬送部１１１に切り替える切替機構部、１１２は、的中していない投票券１１４を排出する排出部、１１３は、的中していない投票券１１４を返却する返却部である。
【０００６】
なお、前記搬送路１０７と返却搬送部１１１は、搬送路１０７と返却搬送部１１１に沿って配設された複数の複数の搬送ローラや搬送ベルト等からなる搬送装置を有する。この搬送装置は、搬送用モータを備え、この搬送用モータの駆動力をベルト、プーリ、歯車等からなる動力伝達機構を介して前記搬送ローラや搬送ベルトに伝達して回転させる。これにより、投票券１１４は、相対向する搬送ローラや搬送ベルトに挟まれた状態で搬送路１０７と返却搬送部１１１に沿って搬送される。
【０００７】
つぎに、このような構成の券処理ユニットの動作を説明する。
【０００８】
顧客が複数枚の投票券１１４を投票系挿入部１０２に挿入する。図示しない制御部が投票券１１４の挿入を検知し、挿入シャッター１０３をあけ、一時保留部１０４まで投票券１１４を搬送する。一時保留部１０４に搬送された投票券１１４は、分離部１０５で１枚ずつ分離され、投票券判定部１０６に搬送される。
投票券１１４が的中している場合の投票券１１４は、搬送路１０７によりパンチ部１０８に搬送されて所定の位置に孔をあけてスタッカ部１０９に収納される。
【０００９】
投票券１１４が的中していない場合には、搬送路１０７によりパンチ部１０８に搬送され、パンチ部１０８で停止し、返却搬送部１１１に搬送されるように切替機構部１１０を切り替える。切替機構部１１０が切り替わると投票券１１４は搬送路１０７により切替機構部１１０側に搬送され、返却搬送部１１１に搬送される。このとき、的中していない投票券１１４にはパンチ部１０８で孔はあけられていない。
【００１０】
その後、的中していない投票券１１４は排出部１１２に搬送され、返却部１１３から顧客に返却される。
【００１１】
また、複数枚挿入された投票券１１４の中で、的中していない投票券１１４が複数枚あった場合は、前の的中していない投票券１１４が返却部１１３に搬送され、その投票券１１４を顧客が抜き取るまでは次の的中していない投票券１１４はパンチ部１０８で停止したままである。パンチ部１０８に停止している的中していない投票券１１４は、前記制御部で返却部１１３の帳票券１１４を抜き取られたことを検知した後、排出部１１２と返却部１１３まで搬送される（例えば、特許文献１参照）。
【先行技術文献】
【特許文献】
【００１２】
【特許文献１】特開２００２−２４８６９
【発明の概要】
【発明が解決しようとする課題】
【００１３】
しかしながら、上述した従来の技術においては、返却部に搬送された的中していない投票券１枚を抜き取るまで次の的中していない投票券が返却されないために、顧客が装置の前にいる時間が長くなるという問題がある。
【００１４】
また、的中していない投票券を複数枚一括返却する場合は、複数枚一括集積機構、複数枚一括搬送機構が必要となるという問題があり、ひいては装置の複雑化により、装置の信頼性が低下するという問題となる。
【００１５】
本発明は、このような問題を解決することを課題とする。
【課題を解決するための手段】
【００１６】
そのため、本発明は、券類挿入部から挿入された券類を券類判定部で的中しているか否かを判定し、的中したと判断した券類を収納するスタッカ部を有し、的中していないと判断した券類を排出部を介して顧客に返却する返却部を有する券処理ユニットにおいて、前記排出部に、搬送路の延長上となるように、券類を返却部に搬送するアシストローラに当接するエスケープローラを投票券の幅にあった間隔をあけて対向して設けて券類の両側端がエスケープローラ上にそれぞれ載るように配置し、このエスケープローラは、支点を介して回転可能に設けたエスケープブラケットの一側に取り付けられ、このエスケープブラケットの他側にはエスケープスプリングを引張状態で設けてエスケープローラをアシストローラに押圧させ、このエスケープローラの中間に位置するようにソレノイド等の駆動装置によって駆動される叩き落しローラを配置してエスケープローラ上の券類を叩き落して排出ステージ上に集積可能とし、アシストローラとエスケープローラで挟まれている券類と排出ステージ上に集積された券類を返却部からそれらを同時にもしくはそれらを別々に抜き取ることを可能とした。
【発明の効果】
【００１７】
このようにした本発明は、ソレノイドで駆動される叩き落しローラ、エスケープローラ、排出ステージを設けたことにより、顧客が的中していない投票券を返却口から抜き取らなくても複数枚集積でき、顧客の抜き取りのタイミングを待たずに装置の投票券の処理を進めることができることになり、装置の稼働効率が高まることになる。
また、集積部周辺の機構が複数枚集積してから複数枚を排出するようにする複雑な機構を必要としないですむ効果が得られる。
【図面の簡単な説明】
【００１８】
【図１】実施例を示す説明図
【図２】排出部の側面説明図
【図３】排出部の背面説明図
【図４】排出部の作動状態を示す説明図
【図５】排出部の作動状態を示す説明図
【図６】排出部の作動状態を示す説明図
【図７】排出部の作動状態を示す説明図
【図８】排出部の作動状態を示す説明図
【図９】排出部の作動状態を示す説明図
【図１０】従来技術の説明図
【発明を実施するための形態】
【００１９】
以下、図面を参照して本発明の実施例を説明する。
【実施例】
【００２０】
図１は実施例を示す説明図である。
【００２１】
券処理ユニットは、競馬や競輪等において投票券の的中投票券の払い戻しをする装置に実装されており、投票券の表面には投票レース番号、投票内容等の情報が印字されている。以下の説明は、競輪場で用いる場合で説明する。
【００２２】
１は、券処理ユニットである。２は、投票券１４を複数枚同時に挿入することができる投票券挿入部であり、投票券１４が券処理ユニット１内で処理されているときに次の投票券１４が投票券挿入部２に挿入できないようにする挿入シャッター３が設けてある。
【００２３】
４は、挿入された１枚もしくは複数枚の投票券１４を搬送し、一時的に保留する一時保留部、５は、この一時保留部４に複数枚搬送された投票券１４を１枚ずつに分離する分離部、６は、１枚ずつ分離された投票券１４が的中しているかを判定する投票券判定部である。
【００２４】
７は、投票券挿入部２から挿入された投票券１４を搬送する搬送路、８は、的中した投票券１４に的中したことが分かるように穴をあけるパンチ部、９は、的中した投票券１４を収納するスタッカ部、１０は、投票券判定部６で的中していないと判断した投票券１４を返却する返却搬送部１１に切り替える切替機構部、１２は、的中していない投票券１４を排出する排出部、１３は、的中していない投票券１４を返却する返却部である。
【００２５】
なお、前記搬送路７と返却搬送部１１は、搬送路７と返却搬送部１１に沿って配設された複数の複数の搬送ローラや搬送ベルト等からなる搬送装置を有する。この搬送装置は、搬送用モータを備え、この搬送用モータの駆動力をベルト、プーリ、歯車等からなる動力伝達機構を介して前記搬送ローラや搬送ベルトに伝達して回転させる。これにより、投票券１４は、相対向する搬送ローラや搬送ベルトに挟まれた状態で搬送路７と返却搬送部１１に沿って搬送される。
【００２６】
上記排出部１２は図２、図３に示す構造となっている。
【００２７】
図において、２０は、券処理ユニット１が実装されている装置の筐体、２１は、投票券１４を搬送する排出ローラ、２２は、投票券１４を返却部１３に搬送するアシストローラ、２３は、このアシストローラ２２に当接するエスケープローラであり、投票券１４の幅にあった位置に間隔をあけて向かい合わせに対向して一対に配置される。つまり、投票券１４の両側端がエスケープローラ２２上にそれぞれ載るように配置される。
【００２８】
２４は、このエスケープローラ２３を保持するエスケープブラケットであり、支点３１を介して回転可能に設けてある。２５は、エスケープローラ２３をエスケープブラケット２４を介してアシストローラ２２に押圧するように引張状態で設けたエスケープスプリングであり、エスケープブラケット２４の支点３１を介してエスケープローラ２２の反対側に係止してある。
【００２９】
２６は、投票券１４を集積する排出ステージ、２７は、この排出ステージ２６を前記エスケープローラ２３の押圧する排出ステージスプリングである。
【００３０】
２８は、投票券１４を排出ステージ２６に集積させる叩き落しローラであり、前記対向配置されたエスケープローラ２３の中間に位置するように配置される。２９は、この叩き落しローラ２８を稼働させる支点を有する叩き落しレバー、３０は、この叩き落しレバー２９を駆動するソレノイドである。なお、このソレノイド３０と叩き落しレバー２９とはリンク等で接続されている。
【００３１】
以上の構成による券処理ユニット１の動作を以下に説明する。
顧客が複数枚の投票券１４を投票券挿入部２に挿入すると、図示しない制御部が投票券１４の挿入を検知し、挿入シャッター３をあけ、一時保留部４まで投票券１４を搬送する。一時保留部４に搬送された投票券１４は、分離部５で１枚ずつ分離され、投票券判定部６に搬送される。
【００３２】
そこで投票券１４が的中している場合の投票券１４は、搬送路７によりパンチ部８に搬送されて所定の位置に孔をあけてスタッカ部９に収納される。
【００３３】
投票券１４が的中していない場合には、搬送路７によりパンチ部８に搬送されてそこで停止し、返却搬送部１１に搬送されるように切替機構部１０を切り替える。切替機構部１０が切り替わると投票券１４は搬送路７により切替機構部１０側に搬送され、返却搬送部１１に搬送される。このとき、的中していない投票券１４にはパンチ部８で孔はあけられていない。
【００３４】
その後、的中していない投票券１４は排出部１２に搬送される。排出部１２では、図２に示す如く、投票券１４は排出ローラ２１により搬送され、アシストローラ２２とエスケープローラ２３により的中していない投票券１４の搬送方向の後端が排出ローラ２１から離れた所定の位置で停止する。
【００３５】
叩き落しローラ２８は的中していない投票券１４の搬送の妨げにならない形状であって、搬送の妨げにならない位置に配置されている。
的中していない投票券１４が所定の位置に停止後、ソレノイド３０を駆動して叩き落しレバー２９を稼働し、叩き落しローラ２８が的中していない投票券１４に接触させる（図３）。
【００３６】
その後、図４に示す如く、叩き落しローラ２８はさらに的中していない投票券１４を押し、的中していない投票券１４の剛性でエスケープブラケット２４をエスケープスプリング２５の引っ張り力に対抗して回動させる。
【００３７】
叩き落しローラ２８は的中していない投票券１４をさらに押圧し、的中していない投票券１４は排出ステージ２６に接触し、排出ステージスプリング２７を押し下げていくことになる。
【００３８】
最終的に図５、図６に示す如く、エスケープブラケット２４がさらに回転し、的中していない投票券１４が撓みながらエスケープローラ２３から離れる位置まで叩き落しローラ２８は移動して的中していない投票券１４の両側がエスケープローラ２３から外れて排出ステージ２６に落とされて集積される。
【００３９】
このようにして投票券１４が排出ステージ２６上に落とされて的中していない投票券１４がエスケープローラ２３から離れるとエスケープブラケット２４はエスケープスプリング２５により元の状態（実施例の図においては水平状態）に戻る。
【００４０】
エスケープブラケット２４が元の状態に戻されたことを図示しないセンサが検知すると、ソレノイド３０の駆動を止め、図示しないリセットスプリングにより、叩き落しローラ２８は図３の位置まで戻り、図７、図８の状態になる。これにより、顧客は、的中していない投票券１４を返却部１３から抜き取ることができる。
【００４１】
次の的中していない投票券１４がない場合は、この状態で的中していない投票券１４の抜き取り待ちとなる。
【００４２】
つぎに、さらに的中していない投票券１４がある場合、図８の状態から次の的中していない投票券１４を排出部１２に搬送し、図９に示す状態となる。このとき、顧客が前記で抜き取らないで重なっている的中していない投票券１４を２枚抜き取っても問題はない。
【００４３】
さらに、３枚目の的中していない投票券１４がある場合、２枚目の的中していない投票券１４を前記の如く動作させて１枚目の的中していない投票券１４の上に集積させる。３枚目の的中していない投票券１４の排出部１２の処理は、前記した２枚目の的中していない投票券１４と同様である。
【００４４】
以上の実施例によると、ソレノイドで駆動される叩き落しローラ、エスケープローラ、排出ステージを設けたことにより、顧客が的中していない投票券を返却口から抜き取らなくても複数枚集積でき、顧客の抜き取りのタイミングを待たずに装置の投票券の処理を進めることができることになり、装置の稼働効率が高まることになる。また、集積部周辺の機構が複数枚集積してから複数枚を排出するようにする複雑な機構を必要としないですむことになる。
【００４５】
なお、以上の説明は、競輪場における投票券で説明したが、そのような投票券に限るものではなく、たとえば交通機関として、航空、電車もしくはバスの乗車券、イベントの入場券や前売券等の券類を取り扱う発券機や読取機にも適用することができるものである。
【符号の説明】
【００４６】
１  券処理ユニット
２  投票券挿入部
３  挿入シャッター
４  一時保留部
５  分離部
６  投票券判定部
７  搬送路
８  パンチ部
９  スタッカ部
１０  切替機構部
１１  返却搬送部
１２  排出部
１３  返却部
１４  投票券
２０  装置の筐体
２１  排出ローラ
２２  アシストローラ
２３  エスケープローラ
２４  エスケープブラケット
２５  エスケープスプリング
２６  排出ステージ
２７  排出ステージスプリング
２８  叩き落しローラ
２９  叩き落しレバー
３０  ソレノイド
３１  支点
【図１】
2010211641.tif 000003
【図２】
2010211641.tif 000004
【図３】
2010211641.tif 000005
【図４】
2010211641.tif 000006
【図５】
2010211641.tif 000007
【図６】
2010211641.tif 000008
【図７】
2010211641.tif 000009
【図８】
2010211641.tif 000010
【図９】
2010211641.tif 000011
【図１０】
2010211641.tif 000012